(57)【要約】【課題】ハンマー部材の組立時の作業性を向上させる。【解決手段】ハンマー保持ユニット３は、鍵盤装置１の鍵２の動きに応じて鍵２に荷重を付与するためのハンマー部材４と、ハンマー部材４を保持するハンマー保持部材５とを備える。ハンマー保持部材５は、ハンマー部材４が所定の位置に仮固定された仮固定状態Ｐｆと、ハンマー部材４の仮固定が解除された状態と、を取り得るようにハンマー部材４を保持可能に構成されている。【選択図】図３
2019020497.tif 000002
【特許請求の範囲】
【請求項１】
鍵盤楽器の鍵の動きに応じて前記鍵に荷重を付与するためのハンマー部材と、
前記ハンマー部材が第１の位置に仮固定された第１保持状態と、前記ハンマー部材の前記仮固定が解除された第２保持状態と、を取り得るように前記ハンマー部材を保持可能な保持部材と、
を備えることを特徴とするハンマー保持ユニット。
【請求項２】
前記保持部材は、複数の前記ハンマー部材を規定の間隔で保持することを特徴とする請求項１に記載のハンマー保持ユニット。
【請求項３】
前記ハンマー部材が前記第２保持状態にあるときに、前記保持部材は、複数の前記ハンマー部材を個別に揺動可能に保持することを特徴とする請求項２に記載のハンマー保持ユニット。
【請求項４】
前記ハンマー部材が前記第２保持状態にあるときに、前記保持部材は、少なくとも前記第１の位置を含まない第２の位置から第３の位置までの範囲内で前記ハンマー部材を揺動可能に保持することを特徴とする請求項１から請求項３のいずれか一項に記載のハンマー保持ユニット。
【請求項５】
前記保持部材は、前記ハンマー部材を前記第１保持状態と前記第２保持状態とに相互に遷移させることが可能であることを特徴とする請求項１から請求項４のいずれか一項に記載のハンマー保持ユニット。
【請求項６】
前記第１の位置は、前記ハンマー保持ユニットを前記鍵盤楽器に組み込んだ状態での通常使用時における前記ハンマー部材の揺動範囲から外れた位置であることを特徴とする請求項１から請求項５のいずれか一項に記載のハンマー保持ユニット。
【請求項７】
前記ハンマー部材及び前記保持部材は、前記ハンマー部材が前記第１の位置のときに互いに係止する係止部を有することを特徴とする請求項１から請求項６のいずれか一項に記載のハンマー保持ユニット。
【請求項８】
前記ハンマー部材及び前記保持部材は、前記係止部として、いずれか一方に突起部、他方に突起受け部を有し、
前記係止部は、前記ハンマー部材の揺動に伴って前記突起部及び前記突起受け部のうちいずれか一方が弾性変形して他方を乗り越えることにより、前記突起部と前記突起受け部とが係脱可能に構成されていることを特徴とする請求項７に記載のハンマー保持ユニット。
【請求項９】
前記保持部材が複数の前記ハンマー部材を共通の回転軸により個別に回動可能に保持するように構成されていることを特徴とする請求項１から請求項８のいずれか一項に記載のハンマー保持ユニット。
【請求項１０】
前記保持部材は、前記ハンマー部材が前記第１保持状態にあるときに、前記ハンマー部材を任意の向きで保持した場合であっても、前記ハンマー部材の自重によって前記第１保持状態が解除されることのない強さで前記ハンマー部材を仮固定していることを特徴とする請求項１から請求項９のいずれか一項に記載のハンマー保持ユニット。
【請求項１１】
請求項１から請求項１０のいずれか一項に記載のハンマー保持ユニットと、
前記ハンマー部材に対応する鍵と、
前記ハンマー保持ユニットが組み込まれた状態で前記ハンマー部材の揺動範囲を規制する規制部材を有する筐体部材と、
を備え、
前記第１の位置は、前記規制された揺動範囲の外に位置することを特徴とする鍵盤装置。
【請求項１２】
前記ハンマー保持ユニットは、前記筐体部材に組み付けたときに、前記ハンマー部材が前記規制部材に押圧されることで前記第１の位置に固定された状態が解除されるように構成されていることを特徴とする請求項１１に記載の鍵盤装置。
【発明の詳細な説明】
【技術分野】
【０００１】
本発明は、ハンマー保持ユニット及び鍵盤装置に関する。
【背景技術】
【０００２】
従来、電子鍵盤楽器の打鍵時の感触をアコースティックの鍵盤楽器に近づける目的で、鍵への押鍵操作に応じて揺動するハンマー部材を設けた鍵盤装置が知られている。
この種の鍵盤装置においては、鍵の全数に対応する多数のハンマー部材が用いられるため、このハンマー部材を１つずつ個別に組み付けていたのでは、組立時の作業効率が悪いという問題があった。
【０００３】
そこで、ハンマー組み付け時の作業効率を改善するために、複数のハンマー部材をいくつかのブロックに分割してシャーシへの組み付け前に予め組み立てておき、その後にこのブロックをシャーシに組み付ける手法が提案されている。
例えば、特許文献１では、複数のハンマー部材がまとめて保持部材（ハンマーサポート）に揺動可能に保持されて、この状態の保持部材が鍵盤装置のシャーシに固定される構成が開示されている。
【先行技術文献】
【特許文献】
【０００４】
【特許文献１】特許第５８６４１８８号公報
【発明の概要】
【発明が解決しようとする課題】
【０００５】
しかしながら、上記特許文献１に記載の技術では、保持部材がハンマー部材を単純に揺動可能に保持しただけであるため、この状態の保持部材をシャーシに組み付ける際には、ハンマー部材が自由に揺動して暴れてしまい、組立が困難となってしまう。
【０００６】
本発明は、以上のような事情に鑑みてなされたものであり、ハンマー部材の組立時の作業性を向上させることができるハンマー保持ユニット及びこれを備える鍵盤装置を提供することを目的とするものである。
【課題を解決するための手段】
【０００７】
上記目的を達成するために、本発明に係るハンマー保持ユニットは、
鍵盤装置の鍵の動きに応じて前記鍵に荷重を付与するためのハンマー部材と、
前記ハンマー部材が第１の位置に仮固定された第１保持状態と、前記ハンマー部材の前記仮固定が解除された第２保持状態と、を取り得るように前記ハンマー部材を保持可能な保持部材と、
を備えることを特徴とする。
【発明の効果】
【０００８】
本発明によれば、ハンマー部材の組立時の作業性を向上させることができるハンマー保持ユニット及びこれを備える鍵盤装置を提供することができる。
【図面の簡単な説明】
【０００９】
【図１】第１の実施形態における電子鍵盤楽器の側断面図である。
【図２】第１の実施形態におけるハンマー保持ユニットの斜視図であって、（ａ）は全ハンマー部材が初期状態のもの、（ｂ）は数個のハンマー部材が揺動した状態のものである。
【図３】第１の実施形態におけるハンマー保持ユニットの側面図である。
【図４】第１の実施形態におけるハンマー保持ユニットの仮固定構造を説明するための図である。
【図５】ハンマー保持ユニットを鍵盤装置に組み付ける組立手順を説明するための図である。
【図６】第２の実施形態におけるハンマー保持ユニットの仮固定構造を説明するための図である。
【図７】第３の実施形態におけるハンマー保持ユニットの仮固定構造を説明するための図である。
【図８】第４の実施形態におけるハンマー保持ユニットの仮固定構造を説明するための図である。
【発明を実施するための形態】
【００１０】
［第１の実施形態］
以下、図１〜図５を参照して、本発明に係るハンマー保持ユニット及びこれを備える鍵盤装置の第１の実施形態について説明する。
なお、以下に述べる実施形態には、本発明を実施するために技術的に好ましい種々の限定が付されているが、本発明の範囲を以下の実施形態及び図示例に限定するものではない。
【００１１】
図１は、本実施形態におけるハンマー保持ユニット３を備える電子鍵盤楽器１００の側断面図であり、図２は、ハンマー保持ユニット３の斜視図であって、（ａ）は全てのハンマー部材が初期状態のものであり、（ｂ）はいくつかのハンマー部材が揺動した状態のものである。また、図３は、ハンマー保持ユニット３の側面図である。
図１に示すように、本実施形態における電子鍵盤楽器１００は、楽器ケース１０１と、楽器ケース１０１内に収容された鍵盤装置１とを備えている。
【００１２】
鍵盤装置１は、電子鍵盤楽器１００の左右方向（図１の紙面垂直方向）に並列に配列された複数の鍵２を備えている。
複数の鍵２は、白鍵２ａ及び黒鍵２ｂを有しており、それぞれ電子鍵盤楽器１００の前後方向に延在するように配置されている。各鍵２は、後端部の回動軸２１を中心に回動可能に構成されている。
【００１３】
また、鍵盤装置１は、左右方向に配列された複数のハンマー保持ユニット３を備えている。
各ハンマー保持ユニット３は、図２（ａ），（ｂ）に示すように、複数の鍵２に対応して設けられ、これら複数の鍵２それぞれにアクション荷重を付与する複数のハンマー部材４と、これら複数のハンマー部材４を保持するハンマー保持部材５とを備えている。
このハンマー保持ユニット３は、いくつか（例えば８〜１０個）のハンマー部材４をブロック毎にまとめて個別に保持するものであり、当該ハンマー保持ユニット３が複数並べられることにより、全数（例えば８８個）の鍵２に対応するハンマー部材４が配列されるようになっている。
【００１４】
このうち、ハンマー部材４は、前後方向に長尺な形状に形成されており、軸支持部４１と、鍵連結部４２と、錘部４３と、ハンマーアーム４４とを有している。
軸支持部４１は、ハンマー部材４のうち前端よりもやや後側に設けられ、ハンマー保持部材５に保持される部分である。この軸支持部４１の左右両側面には回動軸４１ａが左右方向に突設されている。そして、この回動軸４１ａが後述するハンマー保持部材５の回動孔５３に回動可能に嵌合されることにより、ハンマー部材４が回動軸４１ａを中心に上下方向に（つまり左右方向に垂直な面内で）回動するようになっている。
鍵連結部４２は、軸支持部４１から前方に突出した部分の先端（前端）に設けられている。この鍵連結部４２は、当該ハンマー部材４に対応する鍵２の前端側に連結されており、この鍵２への押鍵操作に伴って下方に押し下げられるようになっている。
錘部４３は、ハンマー部材４の後端部に設けられ、予め定められた重量を有している。
ハンマーアーム４４は、軸支持部４１と錘部４３との間を連結する腕部である。このハンマーアーム４４は、鍵２が押鍵操作されていない初期状態において、軸支持部４１から後下がりに傾斜した後に屈曲して真っ直ぐ後方へ延在した形状に形成されている。
【００１５】
このような構成により、ハンマー部材４は、対応する鍵２への押鍵操作が行われると、当該鍵２に連結された鍵連結部４２が押し下げられ、軸支持部４１の回動軸４１ａを中心に錘部４３が上昇する方向に回動する。また、押鍵操作が止んで離鍵されると、ハンマー部材４は、錘部４３の自重によって当該錘部４３が下降する方向に回動し、鍵２が押鍵操作されていない初期状態に復帰する。
【００１６】
一方、ハンマー保持部材５は、略平板状のベース板５１上に、複数のハンマー部材４に対応して設けられた複数の嵌合部５２を有している。
この嵌合部５２は、左右方向に並設された２つの側板を有し、これら２つの側板の間にハンマー部材４が嵌合されるように構成されている。嵌合部５２の左右両側板にはそれぞれ回動孔５３が形成されており、この回動孔５３にハンマー部材４の回動軸４１ａが嵌合されることにより、ハンマー部材４が回動軸４１ａを中心に回動可能に支持されるようになっている。複数の嵌合部５２における回動孔５３は互いの中心軸を一致させており、これにより、ハンマー保持部材５は、複数のハンマー部材４を共通の回転軸回りに個別に回動可能なように保持している。
また、嵌合部５２は左右方向に規定の間隔で並設されており、これにより、ハンマー保持部材５は、複数のハンマー部材４を左右方向に規定の間隔で保持するように構成されている。
【００１７】
このハンマー保持ユニット３は、鍵盤装置１（電子鍵盤楽器１００）内に組み込まれた状態においては、図３に示すように、鍵２が押鍵操作されておらず錘部４３が下限位置に位置した初期状態Ｐｌと、鍵２が押鍵操作されて錘部４３が上限位置に位置した押鍵状態Ｐｕとの間で、各ハンマー部材４を上下に揺動（回動）させるように構成されている。
より詳しくは、ハンマー部材４は、鍵盤装置１のシャーシ６に設けられた上限ストッパ６１及び下限ストッパ６２により、鍵盤装置１内での揺動範囲が規制される（図１参照）。つまり、ハンマー部材４は、錘部４３が下限ストッパ６２に上方から当接することにより下限位置が初期状態Ｐｌのものに規制され、錘部４３が上限ストッパ６１に下方から当接することにより上限位置が押鍵状態Ｐｕのものに規制されるようになっている。
【００１８】
また、ハンマー保持ユニット３は、鍵盤装置１（電子鍵盤楽器１００）内に組み込まれていない単体の状態では、各ハンマー部材４を、初期状態Ｐｌから押鍵状態Ｐｕまでの通常使用時の揺動範囲から外れた仮固定状態Ｐｆに保持できるように構成されている。この仮固定状態Ｐｆは、錘部４３を初期状態Ｐｌからさらに下降させた状態である。
【００１９】
ここで、ハンマー部材４を仮固定状態Ｐｆに保持するハンマー保持ユニット３の仮固定構造について説明する。
図４は、ハンマー保持ユニット３の仮固定構造を説明するための図である。
図４（ａ）に示すように、ハンマー部材４は、ハンマーアーム４４のうち、後下がりに傾斜した前半部分の中程の位置における下端部に、左右両方向に突出した突起部４５を有している（図３参照）。この突起部４５の左右両端面は、略半球状に丸みを帯びた形状に形成されている。
一方、ハンマー保持部材５は、図４（ｂ）に示すように、ベース板５１の後端部のうち、嵌合部５２以外の部分（つまり嵌合部５２よりも左右両側の部分）が後方に延出されてなる延出部５５を有している。この延出部５５は、左右方向における嵌合部５２の内側を向いた内側面の後端に、当該嵌合部５２の内側向きに突出した係止部５５ａを有している。係止部５５ａは、ハンマー部材４を回動軸４１ａ回りに回動させたときに、ハンマーアーム４４の突起部４５と当接するように設けられるとともに、当該突起部４５が乗り越えやすいように前後両側がＲ面取りされている。
ハンマー保持部材５に設けられた２つの係止部５５ａと、ハンマー部材４に設けられた２つの突起部４５の互いに当接する部分の夫々の間隔は、次のような関係となるように設定されている。つまり、係止部５５ａが弾性変形していない状態での２つの係止部５５ａの当接部分の間隔は、２つの突起部４５の当接部分の間隔よりも狭く設定されており、係止部５５ａが弾性変形することにより２つの係止部５５ａの当接部分の間隔が、２つの突起部４５の当接部分の間隔よりも広くなるように設定されている。
【００２０】
このような構成により、ハンマー保持ユニット３では、錘部４３を初期状態Ｐｌから下降させるようにハンマー部材４を回動させたときに、ハンマーアーム４４の突起部４５とハンマー保持部材５の係止部５５ａとが当接する。そして、この状態からさらにハンマー部材４を同方向に回動させると、図４（ｃ）に示すように、ハンマーアーム４４の突起部４５がハンマー保持部材５の係止部５５ａを弾性変形させつつ乗り越えて当該係止部５５ａに係止され、ハンマー部材４が揺動を規制された仮固定状態Ｐｆとなる。
また、この仮固定状態Ｐｆから錘部４３を上昇させる方向にハンマー部材４を回動させると、この方向にハンマーアーム４４の突起部４５がハンマー保持部材５の係止部５５ａを弾性変形させつつ乗り越えて当該係止部５５ａによる係止が解除される。これにより、ハンマー部材４は仮固定が解除され、仮固定状態Ｐｆから揺動可能な状態に復帰する。
つまり、ハンマー保持ユニット３では、各ハンマー部材４が仮固定された仮固定状態Ｐｆと、この仮固定が解除された状態とを取り得るように、ハンマー保持部材５が複数のハンマー部材４を保持している。また、ハンマー保持部材５は、ハンマー部材４を仮固定状態Ｐｆとその解除状態とに相互に遷移させることが可能となっている。
なお、突起部４５及び係止部５５ａ（延出部５５）の係脱にあたり、弾性変形するのはハンマー保持部材５側の係止部５５ａでなくともよく、突起部４５及び係止部５５ａのうち少なくともいずれか一方が弾性変形するように構成されていればよい。
また、ハンマー保持部材５は、ハンマー部材４が仮固定状態Ｐｆにあるときに、ハンマー部材４を任意の向きで保持した場合であっても、このハンマー部材４の自重によって仮固定状態Ｐｆが解除されることのない強さでハンマー部材４を仮固定している。つまり、ハンマー部材４の突起部４５とハンマー保持部材５の係止部５５ａとは、ハンマー部材４の回動によって係脱可能であると同時に、ハンマー部材４がいかなる向きで係止されていてもその自重によって係止状態が簡単に解除されてしまわないように、適度な強さで互いに係止している。
【００２１】
続いて、ハンマー保持ユニット３を鍵盤装置１（電子鍵盤楽器１００）に組み込む組立手順について説明する。
図５は、この組立手順を説明するための図である。
なお、以下では、説明の簡単のために、鍵盤装置１のシャーシ６が、上限ストッパ６１及び下限ストッパ６２を有する上側シャーシ６Ｕ及び下側シャーシ６Ｌから構成されるものとし、図５においても、簡易的な形状の上側シャーシ６Ｕ及び下側シャーシ６Ｌを示している。
【００２２】
まず、図５（ａ）に示すように、ハンマー保持ユニット３を、各ハンマー部材４が仮固定状態Ｐｆに保持された状態で、上限ストッパ６１を有する上側シャーシ６Ｕに組み付ける。
このとき、各ハンマー部材４は仮固定されており、自由に揺動して暴れることがないため、容易にハンマー保持ユニット３を上側シャーシ６Ｕに組み付けることができる。
【００２３】
次に、図５（ｂ）に示すように、下限ストッパ６２を有する下側シャーシ６Ｌを、下側から上側シャーシ６Ｕに組み付ける。
このとき、下限ストッパ６２が錘部４３を上方に押圧することにより、各ハンマー部材４が錘部４３を上昇させる方向に回動して仮固定状態Ｐｆが解除され、ハンマー保持部材５により複数のハンマー部材４が個別に揺動可能に保持された状態となる。
【００２４】
そして、上側シャーシ６Ｕと下側シャーシ６Ｌを固定することにより、図５（ｃ）に示すように、ハンマー部材４が初期状態Ｐｌと押鍵状態Ｐｕとの間で揺動可能な状態で、ハンマー保持ユニット３が鍵盤装置１のシャーシ６に組み付けられる。この状態では、ハンマー部材４は下限ストッパ６２によって下限位置が規制されるため、仮固定状態Ｐｆとなってしまうようなことはない。
【００２５】
以上のように、本実施形態によれば、ハンマー部材４が仮固定状態Ｐｆとこの仮固定が解除された状態とを取り得るように、ハンマー保持部材５がハンマー部材４を保持可能となっている。そのため、ハンマー保持ユニット３をシャーシ６に組み付ける際に、ハンマー部材４が自由に揺動して暴れることがない。
したがって、ハンマー部材４をシャーシ６に組み付ける際の作業性を向上させることができる。
【００２６】
また、ハンマー部材４の仮固定状態Ｐｆの位置が、当該ハンマー部材４の通常使用時における揺動範囲から外れた位置であるので、ハンマー部材４が通常使用時においてこの位置で仮固定されてしまうことがない。
【００２７】
また、ハンマー部材４の突起部４５が、当該ハンマー部材４の回動に伴ってハンマー保持部材５の係止部５５ａを弾性変形させて乗り越えることにより、当該係止部５５ａと係脱可能に構成されているので、ハンマー部材４を回動させるだけで容易に仮固定とその解除を行うことができる。
【００２８】
また、ハンマー保持部材５が複数のハンマー部材４を個別に保持可能に構成されているので、複数のハンマー部材４をハンマー保持ユニット３としてまとめた状態でシャーシ６に組み付けることができ、さらに組立時の作業性を向上させることができる。
また、ハンマー保持部材５は、ハンマー部材４を仮固定状態Ｐｆとその解除状態とに相互に遷移させることが可能となっている。すなわち、ハンマー保持ユニット３を、鍵盤装置１に組み込んだ状態から単体の状態に復帰させたときには、再びハンマー部材４を仮固定状態Ｐｆにすることが可能となっている。これにより、鍵盤装置１（電子鍵盤楽器１００）の分解時やその後の再組立時にも、ハンマー部材４を仮固定して作業性を向上させることができる。
【００２９】
また、ハンマー保持ユニット３は、下限ストッパ６２を有する下側シャーシ６Ｌに組み付けたときに、ハンマー部材４が下限ストッパ６２に押圧されることで仮固定状態Ｐｆが解除される。
これにより、ハンマー部材４の仮固定状態Ｐｆを解除するためだけの解除作業を行う必要がなく、より一層組立時の作業性を向上させることができる。
【００３０】
なお、ハンマー部材４の組み付けに伴ってその仮固定状態Ｐｆを解除するものは、下限ストッパ６２を有する鍵盤装置１の部品であればシャーシ６（下側シャーシ６Ｌ）でなくともよい。
さらに言えば、この仮固定状態Ｐｆを解除するものは下限ストッパ６２でなくともよく、鍵盤装置１（電子鍵盤楽器１００）内の他の部品等であってもよい。
【００３１】
［第２の実施形態］
続いて、図６を参照して、本発明に係るハンマー保持ユニット及びこれを備える鍵盤装置の第２の実施形態について説明する。
なお、第２の実施形態は、ハンマー保持ユニットの仮固定構造が第１の実施形態と異なるものであるため、以下では、特に第１の実施形態と異なる点について説明する。
【００３２】
図６は、本実施形態におけるハンマー保持ユニット３の仮固定構造を説明するための図である。
図６（ａ）〜（ｃ）に示すように、本実施形態におけるハンマー保持ユニット３では、ハンマー部材４が、第１の実施形態における突起部４５に代えてリブ４６を有しており、ハンマー保持部材５が、第１の実施形態における延出部５５に代えて延出部５６を有している。
【００３３】
このうち、ハンマー部材４のリブ４６は、ハンマーアーム４４の一方の側面のうち、軸支持部４１近くの基端部に、仮固定状態Ｐｆにおいて急峻な後上がりに傾斜するように立設されている。
一方、ハンマー保持部材５の延出部５６は、ベース板５１の後端部のうち、嵌合部５２よりも一方の側面側の部分が後方に延出されて構成されている。この延出部５６は、左右方向における嵌合部５２の内側を向いた内側面の後端に、当該嵌合部５２の内側向きに突出した係止部５６ａを有している。係止部５６ａは、ハンマー部材４を回動軸４１ａ回りに回動させたときに、ハンマーアーム４４のリブ４６と当接するように設けられるとともに、当該リブ４６が乗り越えやすいように前後両側がＲ面取りされている。
【００３４】
このような構成により、本実施形態におけるハンマー保持ユニット３は、第１の実施形態におけるものと同様に機能することができる。
すなわち、本実施形態におけるハンマー保持ユニット３では、錘部４３を初期状態Ｐｌから下降させるようにハンマー部材４を回動させたときに、ハンマーアーム４４のリブ４６とハンマー保持部材５の係止部５６ａとが当接する。そして、この状態からさらにハンマー部材４を同方向に回動させると、ハンマーアーム４４のリブ４６がハンマー保持部材５の係止部５６ａを乗り越えて当該係止部５６ａに係止され、ハンマー部材４が揺動を規制された仮固定状態Ｐｆとなる。
また、この仮固定状態Ｐｆから錘部４３を上昇させる方向にハンマー部材４を回動させると、この方向にハンマーアーム４４のリブ４６がハンマー保持部材５の係止部５６ａを乗り越えて当該係止部５６ａによる係止が解除され、仮固定状態Ｐｆから揺動可能な状態に復帰する。
したがって、以上の第２の実施形態によれば、上述した第１の実施形態と同様の効果を得ることができる。
【００３５】
［第３の実施形態］
続いて、図７を参照して、本発明に係るハンマー保持ユニット及びこれを備える鍵盤装置の第３の実施形態について説明する。
なお、第３の実施形態は、ハンマー保持ユニットの仮固定構造が第１の実施形態と異なるものであるため、以下では、特に第１の実施形態と異なる点について説明する。
【００３６】
図７は、本実施形態におけるハンマー保持ユニット３の仮固定構造を説明するための図である。
図７（ａ）に示すように、本実施形態におけるハンマー保持ユニット３では、ハンマー部材４が、第１の実施形態における突起部４５に代えて突設部４７を有しており、ハンマー保持部材５が、第１の実施形態における延出部５５に代えて係止リブ５７を有している。
【００３７】
このうち、ハンマー部材４の突設部４７は、図７（ｂ）に示すように、ハンマーアーム４４のうち、軸支持部４１近くの基端部の下部に形成された略Ｌ字状の切欠き４４ａ内から、仮固定状態Ｐｆにおいて前下がりに傾斜するように突設されている。この突設部４７の一方の側面の先端（下端）には、緩やかに膨出させた円形の膨出部４７ａが設けられている。
一方、ハンマー保持部材５の係止リブ５７は、図７（ｃ）に示すように、ベース板５１の下面の後端部に、やや後方に突出させつつ立設されている。この係止リブ５７は、ハンマー部材４を回動軸４１ａ回りに回動させたときに、ハンマーアーム４４の突設部４７と左右方向に隣接する位置に設けられている。また、係止リブ５７は、ハンマーアーム４４の膨出部４７ａの形状に対応した円形状の係止孔５７ａを有している。この係止孔５７ａは、図７（ｄ）に示すように、ハンマー部材４を回動軸４１ａ回りに回動させたときに、ハンマーアーム４４の膨出部４７ａが嵌まるように設けられている。
【００３８】
このような構成により、本実施形態におけるハンマー保持ユニット３は、第１の実施形態におけるものと同様に機能することができる。
すなわち、本実施形態におけるハンマー保持ユニット３では、錘部４３を初期状態Ｐｌから下降させるようにハンマー部材４を回動させたときに、ハンマーアーム４４の膨出部４７ａとハンマー保持部材５の係止リブ５７の後端面とが当接する。そして、この状態からさらにハンマー部材４を同方向に回動させると、ハンマーアーム４４の膨出部４７ａがハンマー保持部材５の係止孔５７ａに嵌まって係止され、ハンマー部材４が揺動を規制された仮固定状態Ｐｆとなる。
また、この仮固定状態Ｐｆから錘部４３を上昇させる方向にハンマー部材４を回動させると、この方向にハンマーアーム４４の膨出部４７ａがハンマー保持部材５の係止孔５７ａから外れて当該係止孔５７ａによる係止が解除され、仮固定状態Ｐｆから揺動可能な状態に復帰する。
したがって、以上の第３の実施形態によれば、上述した第１の実施形態と同様の効果を得ることができる。
【００３９】
［第４の実施形態］
続いて、図８を参照して、本発明に係るハンマー保持ユニット及びこれを備える鍵盤装置の第４の実施形態について説明する。
なお、第４の実施形態は、ハンマー保持ユニットの仮固定構造が第１の実施形態と異なるものであるため、以下では、特に第１の実施形態と異なる点について説明する。
【００４０】
図８は、本実施形態におけるハンマー保持ユニット３の仮固定構造を説明するための図である。
図８（ａ）に示すように、本実施形態におけるハンマー保持ユニット３では、ハンマー部材４が、第１の実施形態における突起部４５に代えて舌部４８を有しており、ハンマー保持部材５が、第１の実施形態における延出部５５に代えて係止板５８を有している。
【００４１】
このうち、ハンマー部材４の舌部４８は、図８（ｂ）に示すように、ハンマーアーム４４のうち、軸支持部４１近くの基端部の下部に形成された略Ｌ字状の切欠き４４ｂ内から、仮固定状態Ｐｆにおいて前方へ立設されている。この舌部４８は、切欠き４４ｂのうち、仮固定状態Ｐｆにおける上辺よりもやや下側に設けられており、当該舌部４８と切欠き４４ｂの上辺との間に凹部４９を画成している。
一方、ハンマー保持部材５の係止板５８は、図８（ｃ）に示すように、ベース板５１の後端部を後方へ延出させるように、当該ベース板５１の後端面から後方へ突設されている。この係止板５８は、ハンマー部材４を回動軸４１ａ回りに回動させたときに、ハンマーアーム４４の舌部４８と互いの先端で当接するように設けられている。
【００４２】
このような構成により、本実施形態におけるハンマー保持ユニット３は、第１の実施形態におけるものと同様に機能することができる。
すなわち、本実施形態におけるハンマー保持ユニット３では、錘部４３を初期状態Ｐｌから下降させるようにハンマー部材４を回動させたときに、ハンマーアーム４４の舌部４８とハンマー保持部材５の係止板５８との互いの先端が当接する。そして、この状態からさらにハンマー部材４を同方向に回動させると、ハンマーアーム４４の舌部４８がハンマー保持部材５の係止板５８を乗り越えて凹部４９内に係止され、ハンマー部材４が揺動を規制された仮固定状態Ｐｆとなる。
また、この仮固定状態Ｐｆから錘部４３を上昇させる方向にハンマー部材４を回動させると、この方向にハンマーアーム４４の舌部４８がハンマー保持部材５の係止板５８を乗り越えて当該係止板５８による係止が解除され、仮固定状態Ｐｆから揺動可能な状態に復帰する。
したがって、以上の第４の実施形態によれば、上述した第１の実施形態と同様の効果を得ることができる。
【００４３】
なお、ハンマー保持ユニットの仮固定構造は、上述した第１〜第４の実施形態のものに限定されず、ハンマー部材４の回動に伴って当該ハンマー部材４とハンマー保持部材５の互いの係止部が係脱可能に構成されていればよい。
【００４４】
また、ハンマー保持部材５は、ハンマー部材４が仮固定から解除された状態にあるときに、少なくともハンマー部材４を仮固定する位置を含まない２つの位置（上記実施形態における初期状態Ｐｌの位置と押鍵状態Ｐｕの位置）の範囲内で、当該ハンマー部材４を揺動可能に保持するように構成されていればよい。さらに言えば、ハンマー保持部材５がハンマー部材４を仮固定する位置は、ハンマー部材４の通常使用時の揺動範囲から外れた位置でなくともよい。
【００４５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
鍵盤装置の鍵の動きに応じて前記鍵に荷重を付与するためのハンマー部材と、
前記ハンマー部材が第１の位置に仮固定された第１保持状態と、前記ハンマー部材の前記仮固定が解除された第２保持状態と、を取り得るように前記ハンマー部材を保持可能な保持部材と、
を備えるハンマー保持ユニット。
＜請求項２＞
前記保持部材は、複数の前記ハンマー部材を規定の間隔で保持することを特徴とする請求項１に記載のハンマー保持ユニット。
＜請求項３＞
前記ハンマー部材が前記第２保持状態にあるときに、前記保持部材は、複数の前記ハンマー部材を個別に揺動可能に保持することを特徴とする請求項２に記載のハンマー保持ユニット。
＜請求項４＞
前記ハンマー部材が前記第２保持状態にあるときに、前記保持部材は、少なくとも前記第１の位置を含まない第２の位置から第３の位置までの範囲内で前記ハンマー部材を揺動可能に保持することを特徴とする請求項１から請求項３のいずれか一項に記載のハンマー保持ユニット。
＜請求項５＞
前記保持部材は、前記ハンマー部材を前記第１保持状態と前記第２保持状態とに相互に遷移させることが可能であることを特徴とする請求項１から請求項４のいずれか一項に記載のハンマー保持ユニット。
＜請求項６＞
前記第１の位置は、前記ハンマー保持ユニットを前記鍵盤楽器に組み込んだ状態での通常使用時における前記ハンマー部材の揺動範囲から外れた位置であることを特徴とする請求項１から請求項５のいずれか一項に記載のハンマー保持ユニット。
＜請求項７＞
前記ハンマー部材及び前記保持部材は、前記ハンマー部材が前記第１の位置のときに互いに係止する係止部を有することを特徴とする請求項１から請求項６のいずれか一項に記載のハンマー保持ユニット。
＜請求項８＞
前記ハンマー部材及び前記保持部材は、前記係止部として、いずれか一方に突起部、他方に突起受け部を有し、
前記係止部は、前記ハンマー部材の揺動に伴って前記突起部及び前記突起受け部のうちいずれか一方が弾性変形して他方を乗り越えることにより、前記突起部と前記突起受け部とが係脱可能に構成されていることを特徴とする請求項７に記載のハンマー保持ユニット。
＜請求項９＞
前記保持部材が複数の前記ハンマー部材を共通の回転軸により個別に回動可能に保持するように構成されていることを特徴とする請求項１から請求項８のいずれか一項に記載のハンマー保持ユニット。
＜請求項１０＞
前記保持部材は、前記ハンマー部材が前記第１保持状態にあるときに、前記ハンマー部材を任意の向きで保持した場合であっても、前記ハンマー部材の自重によって前記第１保持状態が解除されることのない強さで前記ハンマー部材を仮固定していることを特徴とする請求項１から請求項９のいずれか一項に記載のハンマー保持ユニット。
＜請求項１１＞
請求項１から請求項１０のいずれか一項に記載のハンマー保持ユニットと、
前記ハンマー部材に対応する鍵と、
前記ハンマー保持ユニットが組み込まれた状態で前記ハンマー部材の揺動範囲を規制する規制部材を有する筐体部材と、
を備え、
前記第１の位置は、前記規制された揺動範囲の外に位置することを特徴とする鍵盤装置。
＜請求項１２＞
前記ハンマー保持ユニットは、前記筐体部材に組み付けたときに、前記ハンマー部材が前記規制部材に押圧されることで前記第１の位置に固定された状態が解除されるように構成されていることを特徴とする請求項１１に記載の鍵盤装置。
【符号の説明】
【００４６】
１      鍵盤装置
２      鍵
３      ハンマー保持ユニット
４      ハンマー部材
５      ハンマー保持部材
６      シャーシ
４１ａ  回動軸
４３    錘部
４４    ハンマーアーム
４５    突起部
４６    リブ
４７    突設部
４７ａ  膨出部
４８    舌部
４９    凹部
５５    延出部
５５ａ  係止部
５６    延出部
５６ａ  係止部
５７    係止リブ
５７ａ  係止孔
５８    係止板
６１    上限ストッパ
６２    下限ストッパ
Ｐｆ    仮固定状態
Ｐｌ    初期状態
Ｐｕ    押鍵状態
【図１】
2019020497.tif 000003
【図２】
2019020497.tif 000004
【図３】
2019020497.tif 000005
【図４】
2019020497.tif 000006
【図５】
2019020497.tif 000007
【図６】
2019020497.tif 000008
【図７】
2019020497.tif 000009
【図８】
2019020497.tif 000010